(57)【特許請求の範囲】
【請求項１】
柱状の左右の脚フレームと、該両脚フレームの間にこの両脚フレームの上，下部を結合するように架設された上位と下位の梁フレームであって少なくとも下位の梁フレームは平面内で平行な梁部材が棧部材により結合された梁フレームと、上位の梁フレームに支持させた天板を有するカートターミナル状什器において、前記下位の梁フレームの平行な梁部材を結合する棧部材を、当該梁部材に対し着脱自在構造で結合したことを特徴とするカートターミナル状什器。
【請求項２】
棧部材が平行な梁部材の対向面の間に密に遊嵌かつ狭持された状態で当該梁部材に結合される一方、ワンタッチ操作でその結合が外れる構造を備えた請求項１に記載のカートターミナル状什器。
【請求項３】
棧部材は、鋼板を曲げて短柱状のブロックに形成されていると共に該ブロックの長さ方向両端面には切欠部が形成されている一方、平行な梁部材は、その対向面に、前記ブロックの切欠部に係合する凸部を設けた請求項２に記載のカートターミナル状什器。
【発明の詳細な説明】
【技術分野】
【０００１】
本発明は病院で使用されるナースカートやナースワゴン等と称されるカートを集合配置するときに用いられる略テーブル状形態を有するカートターミナルのような什器（以下、カートターミナル状什器又はカートターミナルということもある）に関する。
【背景技術】
【０００２】
一般に入院患者が居る病院では、看護師が各患者の間を順回して、各患者の血圧，体温等の測定、点滴液や包帯等の交換など必要な措置をとるために、パソコンを含む必要な器材や用具，用品等を搭載して看護師が携行するナースカートが使用されている。
【０００３】
上記ナースカートは、ナースセンターに各看護師が集合するときなどに、各人が携行していた夫々のナースカートを略長い略テーブル状をなすカートターミナルの周囲に接合態様で配置される。
【０００４】
ナースカートが集合した、カートターミナルにおいては、各看護師が業務上で使用していたパソコンやＰＨＳ等の電源を充電したり、各人がナースカート上でパソコンを操作するなどの業務が行われる。
【０００５】
上記のような態様で配置し使用されるカートターミナルとしては、一例として図１〜図３に示すような形態のものがある。
すなわち、例示したカートターミナルＣＴは、左右に適宜離間して配された逆Ｔ字状の脚フレーム１Ｌ，１Ｒと、両脚フレーム１Ｌ，１Ｒの上，下部を結合するように架設した上位の梁フレーム２Ｕ及び下位の梁フレーム２Ｂと、上位梁フレーム２Ｕの上に配置された蓋３１ａ，３２ａを備える配線用の開口３１，３２を有する天板３と、両梁フレーム２Ｕ，２Ｂの前後面を塞ぐように配置した前面パネル４Ｆｐと後面パネル４Ｂｐを備えて形成されている。なお、図において１ａ，１ｂは脚フレーム１Ｌ，１Ｒの下端に設けた足部材、２ｕ，２ｖは上位梁フレーム２Ｕを形成する対向配置された断面が大略コ状の梁部材、２ｂ，２ｃは同じく下位の梁フレーム２Ｂを形成する断面略コ状の梁部材である。
【０００６】
上記のカートターミナルＣＴでは、床Ｆから引出された電源線や通信線などの配線Ｗは、端末にコンセント等の接続器Ｃｏを備えて、下位の梁フレーム２Ｂの内側を通って図の例では右側の脚フレーム１Ｒの内部を通し、又は、通さずに前記配線用開口３１又は３２の直下の前，後面パネル４Ｆｐ，４Ｂｐの間に配置された配線用トレーＴｗの上か、又は、配線用開口３１又は３２から引き出されて天板３の上に前記接続器Ｃｏが置かれ、パソコン等の電子機器が接続されて使用される。
【０００７】
ところで、上記カートターミナルＣＴでは、各看護師が使用しているナースカートを集合するとき、各カートにおけるキャスタを備えたベースフレームの先端部が、カートターミナルＣＴにおける下位の梁フレーム２Ｂに衝突することが想定される。
【０００８】
このため下位の梁フレーム２Ｂを構成する平行に並べて対面配置した梁部材２ｂ，２ｃに直交する棧部材Ｌａ１，Ｌａ２を架設して下位の梁フレーム２Ｂ全体を補強することが行われている。
このような補強はカートターミナルに限られず、上位と下位の梁フレームに配線機能を付与した両面天板タイプのテーブルやデスク或はカウンター等の什器における下位の梁フレームについても行われている。
【０００９】
しかし、この補強用棧部材Ｌａ１，Ｌａ２は、平行な梁部材２ｂ，２ｂのクロスメンバーとして梁フレーム２Ｂの長手方向に対して直交して設けられているため、床から立上げられた配線を梁フレーム２Ｂに沿って引き出し、例えば右側の脚フレーム１Ｒの中を通して端末の接続器Ｃｏを前記配線用トレーＴｗの上又は天板３上の開口３１や３２の近傍に配置して使用しているとき、このカートターミナルＣＴの場所を変更しようとすると、棧部材Ｌａ１，Ｌａ２が邪魔になることがある。
【００１０】
すなわち、図２に例示するように床Ｆから立上げられた配線Ｗが、上記棧部材Ｌａ１，Ｌａ２の上を跨いで梁フレーム２Ｂの長さ方向に引き出されて配線されているとき、このカートターミナルＣＴの位置を図２の左方に移動させようとすると、端末の接続器Ｃｏを含むカートターミナルＣＴにおける配線Ｗの全体を、跨いでいる棧部材Ｌａ１の所まで戻し、跨いでいた当該棧部材Ｌａ１，Ｌａ２の上を逆方向から跨がせ、床Ｆから立上がる配線Ｗがその棧部材Ｌａ１，Ｌａ２の左方への移動を邪魔しないように、当該配線Ｗを位置付けなければならない。つまり、カートターミナルＣＴを移動すると、改めてカートターミナルＣＴの内部における配線Ｗと棧部材Ｌａ１，Ｌａ２との関係を設定しなければならない煩わしさが生じるからである。この点は先に述べたテーブル等の什器についても同じであり、従来、このような点に考慮した工夫が施されたカートターミナル等の什器は、特許文献１〜３などにおいても見当たらない。
【先行技術文献】
【特許文献】
【００１１】
【特許文献１】特開２００７−２０６５６号公報
【特許文献２】特開２００８−２０００８６号公報
【特許文献３】特開２００６−１１５９１９号公報
【発明の概要】
【発明が解決しようとする課題】
【００１２】
そこで本発明では、カートターミナル状什器における床から立上げられた配線を、下位の梁フレーム内を通すときにおいて、配線方向が下位の梁フレーム内でどちら向きであっても、或は、配線した後のカートターミナル状什器の配置位置を変更するとき、梁フレームに設けられた補強用棧部材が配線の配向の邪魔になることがない工夫をした下位梁フレームを有するカートターミナル状什器を提供することを、その課題とする。
【課題を解決するための手段】
【００１３】
上記課題を解決することを目的としてなされた本発明カートターミナル状什器の構成は、略柱状の左右の脚フレーム１Ｌ，１Ｒと、該両脚フレーム１Ｌ，１Ｒの間に両脚フレームの上，下部を結合するように架設された上位と下位の梁フレーム２Ｕ，２Ｂであって少なくとも下位の梁フレーム２Ｂは平面内で平行な梁部材２ｂ，２ｃが棧部材Ｌａ１，Ｌａ２により結合された梁フレーム２Ｕ，２Ｂと、上位の梁フレーム２Ｕに支持させた天板３を有するナースカートターミナルＣＴにおいて、前記下位の梁フレーム２Ｂの平行な梁部材２ｂ，２ｃを結合する棧部材Ｌａ１，Ｌａ２を、当該梁部材２ｂ，２ｃに対し着脱自在構造で結合したことを特徴とするものである。
【００１４】
本発明では、棧部材Ｌａ１，Ｌａ２が平行な梁部材２ｂ，２ｃの対向面の間に密に遊嵌かつ狭持された状態で当該梁部材２ｂ，２ｃに結合される一方、ワンタッチ操作でその結合が外れる構造を備えた構成である。
【００１５】
平行な梁部材２ｂ，２ｃに密に遊嵌状態で狭持され、かつ、ワンタッチでその狭持状態が解かれる構成は、棧部材Ｌａ１，Ｌａ２が鋼板を曲げて短柱状のブロックに形成されていると共に、該ブロックの長さ方向両端面には結合のための切欠部が形成されている一方、平行な梁部材の対向面には、前記ブロックの切欠部に係合する凸部を設けたことにより達成される。
【００１６】
上記の本発明を適用したナースカートターミナルＣＴでは、上位の梁フレーム２Ｕの前後幅（側面から見た左右幅＝厚み）と同面において、前後面のパネル４Ｆｐ，４Ｂｐが設けられている。
しかし、下位の梁フレーム２Ｂは、前後面のパネル４Ｆｐ，４Ｂｐが形成する前後幅よりも狭い前後幅に形成されている。これは、ナースカートのキャスタを有する下部フレームが少しでもカートターミナルに近付くことができるようにするためである。
【発明の効果】
【００１７】
本発明は、細長い略テーブル状をなすカートターミナルＣＴにおける下位の梁フレーム２Ｂを形成する平行な梁部材２ｂ，２ｃの補強をするため、その梁部材２ｂ，２ｃに結合される棧部材Ｌａ１，Ｌａ２を、ワンタッチで着脱自在にして設けたから、床Ｆから立上った配線Ｗが棧部材Ｌａ１，Ｌａ２を跨いで前記梁フレーム２Ｂ内を通っていても、当該棧部材Ｌａ１，Ｌａ２を外すことにより、配線を気にすることなくそのカートターミナルＣＴの位置変更などを自由に行うことができ、位置変えが終れば、その状態で棧部材Ｌａ１，Ｌａ２を容易に元に戻すことができるので、便利である。
【図面の簡単な説明】
【００１８】
【図１】本発明を適用するカートターミナルの一例の斜視図。
【図２】図１のナースターミナルの縦断正面図。
【図３】図１のナースターミナルの縦断右側面図。
【図４】下位の梁フレームにおける棧部材の取付状態を説明するための要部の拡大平面図。
【図５】図４の正面図。
【図６】図５の右側面図。
【発明を実施するための形態】
【００１９】
本発明を適用したカートターミナルＣＴの基本構成については、先にも述べたが、図１〜図３により改めて説明する。
本発明が適用されるカートターミナルＣＴの一例の構成は、左右に適宜離間した逆Ｔ字状の脚フレーム１Ｌ，１Ｒと、両脚フレーム１Ｌ，１Ｒの上，下部を結合するように架設した上位と下位の梁フレーム２Ｕ２Ｂと、上位梁フレーム２Ｕの上に配置された蓋３１ａ，３２ａを備える配線用の開口３１，３２を有する天板３と、両梁フレーム２Ｕ，２Ｂの前後面を塞ぐように配置した前面パネルと後面パネル４Ｆｐ，４Ｂｐを備えたものである。なお、２ｕ，２ｖは上位梁フレーム２Ｕを形成する対向配置された断面が大略コ状の梁部材、２ｂ，２ｃは同じく下位の梁フレーム２Ｂを形成する断面略コ状の梁部材、１ａ，１ｂは脚フレーム１Ｌ，１Ｒの下端に設けた足部材である。
【００２０】
上記のカートターミナルＣＴでは、床Ｆから引出された電源線や通信線などの配線Ｗは、端末にコンセント等の接続番Ｃｏを備えて、下位の梁フレーム２Ｂの内側を通って図の例では右側の脚フレーム１Ｒの内部室内を通され、前記配線用開口３１又は３２の直下の前，後面パネル４Ｆｐ，４Ｂｐの間に配置された配線用トレーＴｗの上、又は、配線用開口３１又は３２から引き出されて天板３の上に前記接続器Ｃｏが置かれ、パソコン等の電子機器が接続されて使用される。
【００２１】
このカートターミナルＣＴでは、各看護師が使用しているナースカートを集合するとき、各カートにおけるキャスタを備えたベースフレームの先端部が、カートターミナルＣＴにおける下位の梁フレーム２Ｂに衝突することがある。この点については、先述べた通りである。
【００２２】
そこで本発明では、図４〜図６に例示したように、ナースカートのキャスタを有する下部フレームの先端が衝突することが多々あると想定される下位の梁フレーム２Ｂに、着脱自在にした棧部材Ｌａ１，Ｌａ２による補強構造を採用した。ここでは棧部材を２本使用しているが、何本設けるかは任意である。
【００２３】
本発明においては、梁フレーム２Ｂを補強する棧部材Ｌａ１，Ｌａ２を固着構造とせず、着脱式、それもボルトやビス等の締緩操作による着脱ではなくワンタッチ操作での着脱式とした。その理由は、床から立上げた電源線や通信線などの配線ＷをカートターミナルＣＴの内部を通す時、配線Ｗの挿通の邪魔になる棧部材Ｌａ１又はＬａ２を一時的に取外し、この工程が済めば直ちに元に復帰できるようにするためである。
以下に、棧部材Ｌａ１，Ｌａ２による梁部材２ｂ，２ｃの補強構造について説明する。
【００２４】
図４〜図６において、棧部材Ｌａ１，Ｌａ２（両者は同一部材であるから、以下は一方の部材Ｌａ１について述べる。）は、鋼板を曲げ加工して縦，横の断面が大略逆凹状をなす内部が中空の短柱状体１１により形成されている。
この短柱状体１１は、長手方向の両端部に形成された壁部１２，１３に略半長円状の切欠部１２ａ，１３ａが形成されている。
棧部材Ｌａ１になる短柱状体１１の長さは、下位の梁フレーム２Ｂの梁部材２ｂ，２ｃの下部における対向面間の距離と等しく形成している。つまり、対向した梁部材２ｂ，２ｃの対向面の間に密に遊嵌される長さである。
【００２５】
上記梁部材２ｂ，２ｃの下位の対向面には、上記棧部材Ｌａ１の長手方向両端の壁部１２，１３に形成した略半長円形の切欠部１２ａ，１３ａに嵌まるダボ乃至は太目のピンによる凸部２１ａ，２１ｂが形成されている。棧部材２ｂ，２ｃの下位の対向面の下半部には、棧部材Ｌａ１，Ｌａ２を下から承ける段部２ｂ’，２ｃ’が設けられている。この段部ｂ’，２ｃ’によって棧部材Ｌａ１，Ｌａ２は下に落下しないように支えられる。
【００２６】
上記構成により、対向した梁部材２ｂ，２ｃの下位の対向面に設けた凸部２１ａと２１ｂに、短柱状の棧部材Ｌａ１（Ｌａ２）が、その長手方向両端の壁部１２，１３に形成した切欠部１２ａ，１３ａを嵌入されて、対向した梁部材２ｂ，２ｃの間に密に挟まれた態様で装着されることになる。これにより棧部材Ｌａ１（Ｌａ２）は、平行に対向配置された２本の梁部材２ｂ，２ｃを結合一体化するクロスメンバーとして作用する。
【００２７】
上記棧部材Ｌａ１（Ｌａ２）を、配線Ｗの通線位置変更のため取外すには、木槌などで当該Ｌａ１（Ｌａ２）を下から叩けば、切欠部１２ａ，１３ａが梁部材２ｂ，２ｃの凸部２１ａ，２１ｂから離脱するから、いわばワンタッチ操作で取外すことが出来る。棧部材Ｌａ１（Ｌａ２）の装着も同様に木槌によるワンタッチ叩打で済む。
【００２８】
本発明を適用したカートターミナルにおいて、上記棧部材Ｌａ１，Ｌａ２を着脱自在に備えた下位の梁フレーム２Ｂを構成する平行な梁部材２ｂ，２ｃは、側面から見た左右幅（外寸）が上位の梁フレーム２Ｕの側面から見た幅（図３の外側の左右幅）よりも小さく形成されている。
これは、ナースカートをこのターミナルＣＴに近付けたとき、ナースカートのキャスタを有する下部フレームの先端が少しでもカートターミナルに接近でき、かつ、接近しても下部の梁フレームに衝突しにくくするためである。
【産業上の利用可能性】
【００２９】
本発明は以上の通りであるから、病院のナースセンター等でナースカートを集合して電子機器に充電したりパソコン入力作業等を行うためのカートターミナルとしてきわめて有用である。
【００３０】
本発明における下位の梁フレームを構成する２本の平行な梁部材と、この梁部材の間にワンタッチ操作で着脱自在に結合される補強用の棧部材の構成は、上述のカートターミナルのほか、このカートターミナルと類似構造を有する配線処理機能が付与されたテーブルやカウンターなどのオフィス用家具などの什器にも適用することができる。
【符号の説明】
【００３１】
１Ｌ，１Ｒ      脚フレーム
２Ｕ，２Ｂ      上位と下位の梁フレーム
２ｕ，２ｖ      上位の梁部材
２ｂ，２ｃ      下位の梁部材
３              天板
４Ｆｐ，４Ｂｐ  前面と後面のパネル
Ｌａ１，Ｌａ２  棧部材
【図１】
0005971752.tif 000002
【図２】
0005971752.tif 000003
【図３】
0005971752.tif 000004
【図４】
0005971752.tif 000005
【図５】
0005971752.tif 000006
【図６】
0005971752.tif 000007